(57)【要約】      （修正有）【課題】５行ゲームカードを提供する。【解決手段】五行をなす木、火、土、金、水の各種類当たりの１０枚のカードを１組として基本カードを構成し、基本カードの上下部には前記木、火、土、金、水をそれぞれ特定するカラーを表示する五行表示部が形成され、且つ、その五行表示部の一方の側に前記五行表示部を表示するカラーのうち少なくとも１以上を配列して基本カードが得られる他の基本カードを表示するようにした取得表示部がそれぞれ形成されてなる五行ゲームカード。【選択図】図１
0003144468.tif 000002
【実用新案登録請求の範囲】
【請求項１】
五行をなす木、火、土、金、水の各種類当たりの１０枚のカードを１組として基本カードを構成し、基本カードの上下部には前記木、火、土、金、水をそれぞれ特定するカラーを表示する五行表示部が形成され、且つ、その五行表示部の一方の側に前記五行表示部を表示するカラーのうち少なくとも１以上を配列して基本カードが得られる他の基本カードを表示するようにした取得表示部がそれぞれ形成されてなる五行ゲームカード。
【請求項２】
前記木は青色、火は赤色、土は黄色、金は白色、水は黒色に表示されることを特徴とする請求項１に記載の五行ゲームカード。
【請求項３】
前記基本カードの五行表示部及び取得表示部は、前記木、火、土、金、水をそれぞれ表現する絵柄や文字または図形で形成されることを特徴とする請求項１に記載の五行ゲームカード。
【請求項４】
前記基本カードの中間には任意のカラーがさらに表示され、１組のうち少なくとも２枚以上は前記五行表示部のカラーと同じカラーに表示されることを特徴とする請求項３に記載の五行ゲームカード。
【請求項５】
前記中間は、前記五行表示部と同じ絵柄や文字または図形で形成されることを特徴とする請求項４に記載の五行ゲームカード。
【請求項６】
前記基本カードには数字がさらに表示されることを特徴とする請求項１に記載の五行ゲームカード。
【請求項７】
前記数字は１から１０までの数字であり、１から５までは昇順に表示され、６から１０までは降順に表示されることを特徴とする請求項６に記載の五行ゲームカード。
【請求項８】
文字や絵柄によりそれぞれ表示され、１枚の任意の基本カードを得られる「キング」カードと「クイーン」カードと、文字や絵柄により表示され、２枚の任意の基本カードや「キング」カードまたは「クイーン」カードのうちいずれか１枚が得られる「ジェイ」カードをそれぞれさらに含み、前記「キング」カードと「クイーン」カード及び「ジェイ」カードには高い数字と低い数字が並行表示されることを特徴とする請求項１に記載の五行ゲームカード。
【請求項９】
前記基本カードには特定の標識がさらに表示され、前記「ジェイ」カードはその特定の標識が表示された基本カードを得ることを特徴とする請求項８に記載の五行ゲームカード。
【考案の詳細な説明】
【技術分野】
【０００１】
本考案は五行ゲームカードに係り、特に、五行をなす木、火、土、金、水をベースとし、五行の相生と相剋の原理に基づいてゲームを行わせることにより新規なカードゲームを楽しめるようにした五行ゲームカードに関する。
【背景技術】
【０００２】
日本においては、主として、花札と西洋から到来したトランプをもってカードゲームを楽しめている。
【０００３】
中でも、花札は、「光札」、「たね札」、「たんざく」、「かす札」から構成されるが、これは、江戸時代における日本社会の身分関係を示しており、光札は大名と呼ばれる封建領主、たね札は武士階級、たんざくは一般の官僚階層、かす札は平民を意味し、１月から１２月まで各４枚ずつ計４８枚の遊戯札である。
【０００４】
花札は絵柄が東洋画風であり、江戸時代の都である江戸地方（現在の東京）の四季の花と草木模様、動物及び当時の風俗が多数描かれているため、日本人にとって拒否感なく極めて親しみよく使われ、大勢の人々が楽しむようなゲームカードとして位置づけられている。
【考案の開示】
【考案が解決しようとする課題】
【０００５】
しかしながら、この種の花札はあらゆる東西洋人に東洋思想を大なかれ少なかれ理解させるには無理があり、ゲームルールが比較的に複雑であるために特に西洋人にゲームルールを理解させるには決して容易ではないという不都合がある。
【０００６】
そこで、本考案は、上記問題に鑑みてなされたものであり、本考案の目的とするところは、東洋思想の根幹をなす五行、すなわち、木、火、土、金、水をベースとし、五行の相生と相剋の原理に基づく簡単なゲームルールによりゲームを行わせることにより、東西洋人に大なかれ少なかれ東洋の五行思想を理解させ、新規なカードゲームを楽しめるようにするための五行ゲームカードを提供するところにある。
【課題を解決するための手段】
【０００７】
上記課題を解決するために、本考案のある観点によれば、五行をなす木、火、土、金、水の各種類当たりの１０枚のカードを１組として基本カードを構成し、基本カードの上下部には前記木、火、土、金、水をそれぞれ特定するカラーを表示する五行表示部が形成され、且つ、その五行表示部の一方の側に前記五行表示部を表示するカラーのうち少なくとも１以上を配列して基本カードが得られる他の基本カードを表示するようにした取得表示部がそれぞれ形成されてなる五行ゲームカードが提供される。
【０００８】
前記木は青色、火は赤色、土は黄色、金は白色、水は黒色に表示されてもよい。
【０００９】
前記基本カードの五行表示部及び取得表示部は、前記木、火、土、金、水をそれぞれ表現する絵柄や文字または図形で形成されてもよい。
【００１０】
前記基本カードの中間には任意のカラーがさらに表示され、１組のうち少なくとも２枚以上は前記五行表示部のカラーと同じカラーに表示されてもよい。
【００１１】
前記中間は、前記五行表示部と同じ絵柄や文字または図形で形成されてもよい。
【００１２】
前記基本カードには数字がさらに表示されてもよい。
【００１３】
前記数字は１から１０までの数字であり、１から５までは昇順に表示され、６から１０までは降順に表示されてもよい。
【００１４】
文字や絵柄によりそれぞれ表示され、１枚の任意の基本カードを得られる「キング」カードと「クイーン」カードと、文字や絵柄により表示され、２枚の任意の基本カードや「キング」カードまたは「クイーン」カードのうちいずれか１枚が得られる「ジェイ」カードをそれぞれさらに含み、前記「キング」カードと「クイーン」カード及び「ジェイ」カードには高い数字と低い数字が並行表示されてもよい。
【００１５】
前記基本カードには特定の標識がさらに表示され、前記「ジェイ」カードはその特定の標識が表示された基本カードを得てもよい。
【考案の効果】
【００１６】
前記解決手段により、木、火、土、金、水の順に行われる簡単なゲームルールにより東洋の五行の原理を大なかれ少なかれ理解させることができる。
【００１７】
また、本考案のゲームルールは、五行の相生、相剋の思想に基づいて設計されているが、そのルールをあえて暗記若しくは理解することなく、東西洋の老若男女の誰でもゲームができるようにカードの上に取得可能なカードが表示されている。このため、実際にプレーヤーは五行の原理や規則になれていなくても、カード上に表記された取得可能なカードと点数の計算に必要となるいくつかの簡単なルールを知っておくだけで、新規なカードゲームを容易に楽しむことができる。
【００１８】
さらに、老人の痴呆予防を図ることができ、しかも、児童の場合、色と図形との区別能力と簡単な算術能を高めることができる。
【考案を実施するための最良の形態】
【００１９】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００２０】
図１は、本考案の五行ゲームカードのうち基本カードの木に当たる１０枚のカードを示す図であり、図２は、本考案の五行ゲームカードのうち基本カードの火に当たる１０枚のカードを示す図であり、図３は、本考案の五行ゲームカードのうち基本カードの土に当たる１０枚のカードを示す図である。
【００２１】
また、図４は、本考案の五行ゲームカードのうち基本カードの金に当たる１０枚のカードを示す図であり、図５は、本考案の五行ゲームカードのうち基本カードの水に当たる１０枚のカードを示す図である。
【００２２】
さらに、図６は、本考案の五行ゲームカードの特殊カードを示す図であり、図７及び図８は、本考案のゲームにおいて勝者を決めるカード配列をそれぞれ示す図である。
【００２３】
同図に示すように、本考案の五行ゲームカードは、五行をなす木（ＴＲＥＥ）、火（ＦＩＲＥ）、土（ＧＲＯＵＮＤ）、金（ＲＯＣＫ）、水（ＷＡＴＥＲ）の各種類当たりの１０枚のカードを１組として基本カードを構成している。
【００２４】
すなわち、図１〜図５に示すように、本考案の五行ゲームカードは、木カード１０、火カード２０、土カード３０、金カード４０、水カード５０の５種類に分類され、各種類当たりに１０枚のカードを１組として５０枚（５枚×１０種類）が基本カードとなる。
【００２５】
これらの前記基本カード１０〜５０の上下部には五行表示部１１〜５１が形成され、その五行表示部１１〜５１の一方の側に取得表示部１２〜５２がそれぞれ形成されている。前記五行表示部１１〜５１と取得表示部１２〜５２をカードの上下部に形成した理由は、カードがどの位置に置かれようが、容易に区別する（すなわち、識別力を高める）ためである。
【００２６】
前記五行表示部１１〜５１はカラーをもって形成される。カラーは五行を特定するカラーである。東洋においては五行の木は青色、火は赤色、土は黄色、金は白色、水は黒色にそれぞれ表示する。
【００２７】
このため、前記木カード１０には青色を、前記火カード２０には赤色を、前記土カード３０には黄色を、前記金カード４０には白色を、前記水カード５０には黒色をそれぞれ表示することにより、前記五行表示部２１〜５１を形成することが好ましい。しかしながら、これらとは異なるカラーを用いて五行表示部２１〜５１を形成することも可能であることはいうまでもない。例えば、図４に示すように、紫色を用いて金カード４０の五行表示部４１を形成することができ、図５に示すように、褐色を用いて水カード５０の五行表示部５１を形成することができる。
【００２８】
前記取得表示部１２〜５２は、前記基本カード１０〜５０がゲームにおいて取得可能な他の基本カード１０〜５０を表示するために形成されたものである。この取得表示部１２〜５２は前記五行表示部１１〜５２を表示するカラーのうち少なくとも１以上を配列して取得可能な他の基本カード１０〜５０を表示している。
【００２９】
例えば、前記木カード１０は赤色、黄色のうちいずれか１色または２色を配列して前記取得表示部１２を形成している。すると、ゲーム中に、前記木カード１０は前記五行表示部２１、３１が赤色または黄色に表示される火カード２０と土カード３０のうちいずれか１枚または２枚を得ることができる。このとき、赤色は五行の相生原理に基づくものであり、黄色は五行の相剋原理の基づくものである。この原理は全ての取得表示部１２〜５２においてカラー配列時に適用されるものである。
【００３０】
前記火カード２０は黄色、白色（または紫色）のうちいずれか１色または２色を配列して前記取得表示部２２を形成している。このため、ゲーム中に、前記火カード２０は土カード３０と金カード４０のうちいずれか１枚または２枚を得ることができる。
【００３１】
前記土カード３０は白色、黒色（または褐色）のうちいずれか１色または２色を配列して前記取得表示部３２を形成している。このため、ゲーム中に、前記土カード３０は金カード４０と水カード５０のうちいずれか１枚または２枚を得ることができる。
【００３２】
前記金カード４０は黒色（または褐色）、青色のうちいずれか１色または２色を配列して前記取得表示部４２を形成している。このため、ゲーム中に、前記金カード４０は水カード５０と木カード１０のうちいずれか１枚または２枚を得ることができる。
【００３３】
前記水カード５０は青色、赤色のうちいずれか１色または２色を配列して前記取得表示部５２を形成している。このため、ゲーム中に、前記水カード５０は木カード１０と火カード２０のうちいずれか１枚または２枚を得ることができる。
【００３４】
これらの前記基本カード１０〜５０には五行表示部１１〜５１と隣り合うように数字１４〜５４が表示されている。前記数字１４〜５４は１から１０までの数字であり、好ましくは、１から５までは昇順に表示され、６から１０までは降順に表示される。例えば、図１〜図５に示すように、前記数字１４〜５４は、１、２、３、４、５、１０、９、８、７、６の順に表示される。これらの数字１４〜５１はゲーム時に点数を計算するときに用いられる。
【００３５】
さらに、前記基本カード１０〜５０の中間１３〜５３には任意のカラーが表示されている。その中間１３〜５３を表示するカラーとしては、例えば、薄い五行表示部１１〜５３のカラーを用いるか、あるいは、五行表示部１１〜５３のカラーに類似する系のカラーを用いることが好ましいが、本考案はこれに限定されるものではない。
【００３６】
前記中間１３〜５３には１組のうち少なくとも２枚以上が前記五行表示部１１〜５３のカラーと同じカラーに表示されることが好ましい。例えば、前記木カード１０においては１番と１０番のカードが前記五行表示部１１のカラーと同様に青色に表示され、前記火カード２０においては２番と９番のカードが前記五行表示部２１のカラーと同様に赤色に表示され、前記土カード３０においては３番と８番のカードが前記五行表示部３１のカラーと同様に黄色に表示され、前記金カード４０においては４番と７番のカードが前記五行表示部４１のカラーと同様に白色（または紫色）に表示され、前記水カード５０においては５番と６番のカードが前記五行表示部５１のカラーと同様に黒色（または褐色）に表示される。
【００３７】
前記中間１３〜５３と五行表示部１１〜５１及び取得表示部１２〜５２は、前記木、火、土、金、水を表現する絵柄や文字、または図形に形状化されて形成可能である。例えば、前記中間１３〜５３と五行表示部１１〜５１及び取得表示部１２〜５２は、図示の如く、木状、クローバー状、星状、ダイアモンド平面状（６角形）、魚状の絵柄に形状化されてなるか、あるいは、ローマ字やハングル、漢字のような文字に形状化されてなるか、あるいは、各種の図形に形状化されてなる。
【００３８】
このように前記中間１３〜５３と五行表示部１１〜５１及び取得表示部１２〜５２が絵柄や文字、または図形で形成されると、カードの識別力を高めるだけではなく、シンプルなカードを製作することができる。また、前記中間１３〜５３を形成する図形は数字１４〜５４と同数に配列されてカードの識別力をさらに高めることが好ましい。
【００３９】
しかも、各基本カード１０〜５０の上端及び下端の中間１３〜５３にある連結可能なカードの模様は、下記の方法により省略することができる。各カード１０〜５０の模様に断片数を与えて、例えば、木は３、火は４、土は５、金は６、水は２（魚のボディと尻尾）のように断片の単位模様にて模様を形成すると、その断片数の連結性によりゲームへの参与者は連結カードの規則を基本カード１０〜５０の上下端の中間１３〜５３の模様なしで容易に類推することが可能になる。
【００４０】
木火土金水（五行）の絵柄がそれぞれ絵柄断片数３、４、５、６、２となっていて得られたカード１０〜５０をもって繋ぎ合わせるときに絵柄断片数を見て行う。
【００４１】
例えば、カードを得た後、木火土金水の順番に繋ぎ合わせると、木は絵柄が３断片、花（火）は４断片、地は星状に５断片、金属は６断片、魚（水、みず）は２断片といったようになっている。
【００４２】
一方、図６に示すように、本考案は、５０枚の基本カード１０〜５０の他に「キング」カード６０、「クイーン」カード７０、「ジェイ」カード８０からなる３枚の特殊カードを備えている。
【００４３】
前記「キング」カード６０は、文字（例えば、「ＫＩＮＧ」）や王様の絵柄により表示されるカードであって、１枚の任意の基本カード１０〜５０が得られる資格を有する。
【００４４】
前記「クイーン」カード７０は、文字（例えば、「ＱＵＥＥＮ」）や女王の絵柄により表示されるカードであって、前記「キング」カード６０と同様に１枚の任意の基本カード１０〜５０が得られる資格を有する。
【００４５】
前記「ジェイ」カード８０は文字（例えば、「Ｊ」）やピエロの絵柄により表示されるカードであって、２枚の任意の基本カード１０〜５０や前記「キング」カード６０または「クイーン」カード７０のうちいずれか１枚が得られる資格を有する。
【００４６】
前記「キング」カード６０と「クイーン」カード７０及び「ジェイ」カード８０には高い数字（例えば、「１０」）と低い数字（例えば、「０」）が並行表示されていてもよく、前記基本カード１０〜５０のうち任意の数枚には特定の標識（図示せず）が表示されていてもよいが、前記「ジェイ」カード８０はその特定の標識が表示された基本カード１０〜５０が得られる資格をさらに有する。
【００４７】
前記特定の標識が表示される基本カード１０〜５０は実際にゲームにおいて特定の標識の名前によって呼ばれるものであるが、例えば、特定の標識が星（ＳＴＡＲ）であれば星カードと呼ばれ、基本カード１０〜５０のうち３枚程度を任意に指定して区分するが、このようなカードは計算された点数が同じである場合に限って多数のカードを得たプレーヤーに優先権を与えて勝者を決める。
【００４８】
以下、本考案のゲーム方法を説明する。
【００４９】
まず、親が５０枚の基本カード１０〜５０、「キング」カード６０、「クイーン」カード７０及び「ジェイ」カード８０をよく混ぜた後、一部はプレーヤーが有し、一部は場に表をむけて配り、残りのカードは裏をむけて積んでおく。例えば、プレーヤーが２人であれば、上記の順番に従って１１枚、９枚、２２枚を配り、プレーヤーが３人であれば、８枚、５枚、２４枚を配り、プレーヤーが４人であれば、６枚、５枚、２４枚を配り、プレーヤーが５人であれば５枚、３枚（または８枚）、２５枚（または２０枚）を配り、プレーヤーが６人であれば４枚、５枚、２４枚を配る。
【００５０】
このようにカードが配られると、親から子に順番にプレーヤーが持っている基本カード１０〜５０の１枚を場に出し、その取得表示部１２〜５２に当たる基本カード１０〜５０が場にあれば、札を合わせて持っていく。
【００５１】
次いで、場に積んでおいたカードのうち上部から１枚ずつめくってそのカードが基本カード１０〜５０である場合、その基本カード１０〜５０の取得表示部１２〜５２に当たる基本カード１０〜５０が場にあれば、札を合わせて持っていく。
【００５２】
このとき、プレーヤーが持っている「キング」カード６０や「クイーン」カード７０を出したり山札をめくってそれが出ると、場に表をむけて配った基本カード１０〜５０のうち任意の１枚を持っていき、「ジェイ」カード８０を出したり山札をめくってそれが出ると、場に表をむけて配った基本カード１０〜５０のうち任意の２枚を持っていくか、「キング」カード６０または「クイーン」カード７０が場にあれば、それらのうちいずれか１枚をもっていき、場に特定の標識が表示された基本カード１０〜５０があれば、その基本カード１０〜５０を持っていく。ゲームが終わった後にも場に「キング」カード６０、「クイーン」カード７０、「ジェイ」カード８０が残っていると、順番に１枚ずつ持っていく。
【００５３】
このような過程を経て場に表をむけて配ったカードが完全に消尽されると、自分のカードを計算して勝者を決める。このとき、勝者は、得られたカードにおいて順番が木、火、土、金、水の順であり、前記木、火、土、金、水をそれぞれ特定するカラーが五行表示部１１〜５１と中間１３〜５３に同様に表示された出来役を多数作ったプレーヤーとなる。
【００５４】
すなわち、図７に示すように、前記五行表示部１１〜５１と中間１３〜５３のカラーが木、火、土、金、水を特定するカラーと同色であり、その順番が木、火、土、金、水の順であり、これらの出来役が５倍数であって鎖状やリング状を多数作った者が勝者となる。
【００５５】
例えば、プレーヤーが２人であり、いずれか一人が図７の出来役を２つ作り、もう一人が図７の出来役を１つ作ったとすれば、２つの出来役を作ったいずれか一人が勝者となる。このとき、いずれか１枚以上が不足して上記の出来役を作ることができなかった場合には、その不足する個所には持っている「キング」カード６０、「クイーン」カード７０、「ジェイ」カード８０のうちいずれか１枚以上を埋め込んで出来役を作ることができる。
【００５６】
しかしながら、プレーヤーの２人以上が作った出来役の数が同数であれば、カード配列において隣り合う２つの数字１４〜５４を選んでその合計が高いか低いプレーヤーを勝者と決める。このルールはゲーム前に定める。
【００５７】
例えば、図７に基づき、２つの数字１４の合計が高い者が勝者であれば、隣り合う数字１４の「１０」と「２」あるいは「７」と「５」を選んで提示し、他のプレーヤーが提示した数字１４〜５４の合計が「１２」よりも小さければ勝者となる。このとき、前記「キング」カード６０、「クイーン」カード７０、「ジェイ」カード８０の数字は上記のルールに従って選択的に用いられる。
【００５８】
木、火、土、金、水のように鎖の長さが５の倍数である場合には、その鎖は環でもあるため、２数字１４〜５４を加算する選択肢が一つ多くなる。既存のトランプや花札に類似するゲームが適用可能にカードの構成が類似しているが、本考案はこのような鎖と環の概念とあいまって多数のゲーム規則が生成可能になる特徴を有する。
【００５９】
しかしながら、プレーヤーの２人以上が数字の合計が同じであれば、前記「ジェイ」カード８０、「クイーン」カード７０、「キング」カード６０のうちいずれか一つを比較して「ジェイ」カード８０＜「クイーン」カード７０＜「キング」カード６０の順に勝者を決める。
【００６０】
しかしながら、この場合にも２人以上が同じであれば、特定の標識が表示された基本カード１０〜５０を多数得たプレーヤーを勝者と決める。
【００６１】
これとは異なり、勝者は、得られたカードの順番を木、火、土、金、水に連続して配列したときにその配列の長さが最も長いプレーヤーになりうる（図８参照）。このとき、いずれか１枚以上が不足して配列の連続性が途切れると、その不足する個所には持っている「キング」カード６０、「クイーン」カード７０、「ジェイ」カード８０のうちいずれか１枚以上を埋め込んで配列を連続させることができる。
【００６２】
しかしながら、プレーヤーの２人以上がその配列の長さが同じであれば、上述した勝者の決定順番に従ってカード配列において隣り合う２つの数字１４〜５４を選んでその合計が高いか低いプレーヤーを勝者と決めるか、あるいは、前記「ジェイ」カード８０、「クイーン」カード７０、「キング」カード６０のうちいずれか一つを比較して「ジェイ」カード８０＜「クイーン」カード７０＜「キング」カード６０の順番に従い勝者を決めるか、別表のように特定の標識が表示された基本カード１０〜５０を多数得たプレーヤーを勝者と決める。
【００６３】
なお、添付図面を参照しながら本考案の好適な実施形態について説明したが、本考案は係る例に限定されないことは言うまでもない。当業者であれば、特許請求の範囲に記載された範疇内において、各種の変更例または修正例に想到し得ることは明らかであり、それらについても当然に本考案の技術的範囲に属するものと了解される。
【図面の簡単な説明】
【００６４】
【図１】本考案の五行ゲームカードのうち基本カードの木に当たる１０枚のカードを示す図である。
【図２】本考案の五行ゲームカードのうち基本カードの火に当たる１０枚のカードを示す図である。
【図３】本考案の五行ゲームカードのうち基本カードの土に当たる１０枚のカードを示す図である。
【図４】本考案の五行ゲームカードのうち基本カードの金に当たる１０枚のカードを示す図である。
【図５】本考案の五行ゲームカードのうち基本カードの水に当たる１０枚のカードを示す図である。
【図６】本考案の五行ゲームカードの特殊カードを示す図である。
【図７】本考案のゲームにおいて勝者を決めるカード配列をそれぞれ示す図である。
【図８】本考案のゲームにおいて勝者を決める他のカード配列を示す図である。
【符号の説明】
【００６５】
１０：木カード、
１１〜５１：五行表示部、
１２〜５２：取得表示部、
１３〜５３：カードの中間、
１４〜５４：数字、
２０：火カード、
３０：土カード、
４０：金カード、
５０：水カード、
６０：「キング」カード、
７０：「クイーン」カード、
８０：「ジェイ」カード
【図１】
0003144468.tif 000003
【図２】
0003144468.tif 000004
【図３】
0003144468.tif 000005
【図４】
0003144468.tif 000006
【図５】
0003144468.tif 000007
【図６】
0003144468.tif 000008
【図７】
0003144468.tif 000009
【図８】
0003144468.tif 000010